(57)【要約】【課題】侵入を抑制する防犯装置を提供すること。【解決手段】スプリンクラーを利用した防犯装置である。水道水を導水する導水管３２の端部を回動可能とし、導水管３２ａとする。そして、その先端にスプリンクラー用ノズル３１を装着する。又、導水管３２には導水をオン・オフさせる電磁バルブ３３を設け、導水管３２ａにはそれを回動させる回転装置４０を設ける。更に、筐体１０外には不審者を検出する集音センサ１１、複数の赤外線センサ２１が外向きに環状に配列された不審者方向検出装置２０を設け、筐体１０内には各装置を制御する制御装置５０を設ける。不審者検出時には、制御装置５０は不審者方向検出装置２０の検出方向にスプリンクラー用ノズル３１を回転させる。そして、電磁バルブ３３を開とし、スプリンクラー用ノズル３１から水を勢いよく噴射する。これにより不審者が被水し、更なる侵入が抑制される。【選択図】図１
2004272407.tif 000002
【特許請求の範囲】
【請求項１】
不審者による侵入、盗難を防止するための防犯装置であって、
防犯モードを入力する防犯モード入力スイッチと、
前記防犯モード入力スイッチに基づいて駆動し、前記不審者の不審者方向を検出する不審者方向検出装置と、
前記不審者方向検出装置の検出結果に基づいて、前記不審者に放水する放水装置と、
前記不審者方向検出装置の検出結果に基づいて、前記放水装置の放水方向を前記不審者方向に回転させる回転装置と、
前記防犯モード入力スイッチと、前記不審者方向検出装置と、前記放水装置と、前記回転装置とを制御する制御装置と
を備えたことを特徴とする防犯装置。
【請求項２】
前記防犯モード入力スイッチは、人為的に押圧する押圧スイッチ、及び／又は所定条件により自動的に入力されるセンサスイッチであることを特徴とする請求項１に記載の防犯装置。
【請求項３】
前記不審者方向検出装置は、環状に外部に向かって複数設置された赤外線センサからなり、前記防犯モード入力スイッチのオン時に前記複数の赤外線センサの何れかの前記赤外線センサで前記不審者方向を検出することを特徴とする請求項１又は請求項２に記載の防犯装置。
【請求項４】
前記放水装置は遠方に勢いよく放水する為のノズルと、前記ノズルに水道水圧を導入する導水管、及び導水をオン・オフさせるバルブを備えたことを特徴とする請求項１乃至請求項３の何れか１項に記載の防犯装置。
【請求項５】
前記導水管は、前記導水管に塗料を供給する塗料タンクを備えたことを特徴とする請求項４に記載の防犯装置。
【請求項６】
前記放水装置は前記導水管、又は導水経路を加熱するための加熱装置を有することを特徴とする請求項４又は請求項５に記載の防犯装置。
【請求項７】
前記放水装置はスプリンクラーに設置され、前記ノズルにはスプリンクラー用ノズルを用いることを特徴とする請求項４乃至請求項６の何れか１項に記載の防犯装置。
【発明の詳細な説明】
【０００１】
【発明の属する技術分野】
本発明は、不審者による侵入、盗難を防止する防犯装置に関する。特に、不審者方向検出装置によって不審者方向を検出し、その方向に放水して不審者に被水させることで、侵入、盗難を抑制する防犯装置に関する。
【０００２】
【従来の技術】
従来より、自動販売機等の盗難を防止するための防犯装置が考案されている。例えば、特開平５−３３４５４０号公報に開示の防犯装置がある。この防犯装置を図６に示す。この防犯装置は振動検出装置１と推論部５を備え、地震等の自然振動と盗難に伴う異常振動を推論部５で区別し、誤動作を防止することを特徴としている。例えば、推論部５は振動検出装置１による検出信号の大きさ、時間変化等の特徴から地震等の振動か盗難等の異常振動かを推論する。これにより、自然振動や不注意による振動と、盗難等の異常振動とを区別し誤動作を防止している。そして、異常振動を検出した場合は、警報決定手段６により警報を決定し、例えば放水装置７から放水する。又は、スピーカ８から警報信号メモリ９に記憶された警報を音声で出力する。
【０００３】
又、盗難にはバーナー等による火器による破壊行為がある。その為、この防犯装置では温度上昇検出部２も備えている。推論部５は、温度上昇検出部２による温度、及び温度上昇の時間的特徴からバーナー使用を推論する。これにより、火器による破壊行為の検出も可能としている。そして、同様に推論部５の推論結果により警報決定手段６が例えば放水装置７を作動させ、それにより放水させて盗難行為を困難にしている。
【０００４】
【発明が解決しようとする課題】
しかしながら、従来の防犯装置の放水装置は推論には優れているが、最終的には不審者方向を検出せずにただ単に放水している。よって、不審者は必ず被水する保証はない。又、たとえ被水してもその被水量が少量である可能性が高く、事後には不審者を特定することは困難である。
【０００５】
本発明は、上述した問題点を解決するためになされたものであり、その目的は不審者が侵入した場合は、不審者方向検出装置によって不審者方向を検出し、その方向に放水することで確実に不審者に被水させることである。それにより、不審者の侵入を抑制することである。
又、放水する水に塗料を混入し、塗料を被水させることで不審者を確実にマーキングすることである。それにより、事後の不審者特定を容易とすることである。
又、放水圧に水道水圧を用いることで遠方放水を可能とし、遠方からでも確実に不審者に被水させることである。
又、放水を熱水とすることで、抑止効果を上げることである。
又、放水装置を既設のスプリンクラーに装着することで、防犯装置の設置を容易とすることである。
尚、上記目的は、個々の発明が個々に達成する目的であって、個々の発明が全ての上記の目的を達成するものと解釈されるべきではない。
【０００６】
【課題を解決するための手段及び発明の作用効果】
請求項１に記載の防犯装置は、不審者による侵入、盗難を防止するための防犯装置であって、防犯モードを入力する防犯モード入力スイッチと、防犯モード入力スイッチに基づいて駆動し不審者の不審者方向を検出する不審者方向検出装置と、不審者方向検出装置の検出結果に基づいて不審者に放水する放水装置と、不審者方向検出装置の検出結果に基づいて放水装置の放水方向を不審者方向に回転させる回転装置と、防犯モード入力スイッチと不審者方向検出装置と放水装置と回転装置とを制御する制御装置とを備えたことを特徴とする。防犯モード入力スイッチは、制御装置が防犯モードに入る為のスイッチである。この防犯モード入力スイッチは、例えば人為的に押圧される押圧スイッチ、又は自動的に入力されるセンサスイッチである。人為的に押圧される押圧スイッチを用いる場合には、押圧者を不審者としてご検出しないために、押圧スイッチの押圧の後、所定時間経過後に実質的に動作するものとする。これらの防犯モード入力スイッチのオンに従って、以下の装置が動作する。
【０００７】
例えば集音センサ、衝撃センサによって、防犯モード入力スイッチがオンになると、制御装置の指令によって不審者方向検出装置は不審者方向を検出する。不審者方向検出装置とは、例えば赤外線カメラ装置、通常のＣＣＤカメラ装置、環状に並べられた赤外線センサ等である。そして、制御装置は例えば１つの赤外線センサにより人体の発する熱を検出すると、そのセンサの示す方向に、回転装置によって例えば放水装置のノズル、又は放水装置全体を回転させる。回転装置とは、例えばギアでノズル、又は放水装置全体を水平方向に回転させるモータ装置である。そして、放水装置に指令を出し放水させる。不審者方向と放水方向がほぼ一致するので、効率よく不審者に被水させることができる。これにより、不審者の更なる侵入を抑制することができる。
尚、防犯モード入力スイッチのオフ時には、この防犯装置は稼動しない。即ち、例えば昼間、家人、訪問者等に被水させるという誤動作は回避することができる。防犯モード入力スイッチによって、必要時にのみ動作させることができる。
【０００８】
又、請求項２に記載の防犯装置は請求項１に記載の防犯装置であって、防犯モード入力スイッチは人為的に押圧する押圧スイッチ、及び／又は所定条件によって自動的に入力されるセンサスイッチであることを特徴とする。
不審者による侵入、盗難は、様々な場合が想定される。例えば、昼夜にかかわらず窓、ドア等を破壊して侵入する場合がある。この様な場合は、所定条件を所定値以上の異常音とし、異常音を検出するセンサスイッチを防犯モード入力スイッチとする。これにより、即座に防犯モードに入ることができる。即ち、即座に請求項１に記載の防犯装置を稼動させることができる。
【０００９】
又、例えば不審者は夜間、異常音なしに侵入する場合がある。この場合は、所定条件を時刻とする。時刻を自動的に検出するセンサスイッチ（タイマースイッチ）を防犯モード入力スイッチとする。即ち、所定時刻間（例えば、夕刻から翌日の早朝までの期間）に自動的に防犯モードに入るようにする。これにより、需要家はいちいち押圧スイッチをオンしなくともよい。自動的に請求項１の防犯装置が稼動される。
又、需要家が昼間留守にする場合は、需要家が押圧する押圧スイッチが防犯モード入力スイッチとなる。この押圧スイッチがオンされた後、所定時間経過した後に実質的にオン状態となり監視モード（防犯モード）となる。即ち、人為的に防犯モードとすることができる。人為的に押圧する押圧スイッチ、及び／又は所定条件によって自動的に入力されるセンサスイッチを防犯モード入力スイッチとすれば、あらゆる場合に有効に動作する防犯装置とすることができる。
【００１０】
又、請求項３に記載の防犯装置は請求項１又は請求項２に記載の防犯装置であって、不審者方向検出装置は環状に外部に向かって複数設置された赤外線センサからなり、防犯モード入力スイッチのオン時に複数の赤外線センサの何れかの赤外線センサで不審者方向を検出することを特徴とする。人は体温により波長数ミクロン〜十数ミクロンの赤外線を放射している。よって、不審者方向検出装置に赤外線センサを用いれば昼夜を問わず不審者を検出することができる。又、その赤外線センサを環状に外部に向かって複数設置すれば、検出範囲は全方位となる。即ち、何れかの赤外線センサで不審者方向を確実に検出することができる。よって、昼夜を問わず確実に不審者を検出する防犯装置となる。
【００１１】
又、請求項４に記載の防犯装置は請求項１乃至請求項３の何れか１項に記載の防犯装置であって、放水装置は遠方に勢いよく放水する為のノズルと、ノズルに水道水圧を導入する導水管、及び導水をオン・オフさせるバルブを備えたことを特徴とする。この放水装置は、導水管によって市中の水道水を導水する構成である。例えば、市中の水道管とこの防犯装置の導水管を例えば電磁バルブで接続する。そして、防犯モードの放水時には、この電磁バルブを開とする。これにより、水道水圧がノズルに印加され、ノズルからは勢いよく水道水が放水される。よって、遠方の不審者にも勢いよく水道水が放水される。
【００１２】
又、請求項５に記載の防犯装置は請求項４に記載の防犯装置であって、導水管は導水管に塗料を供給する塗料タンクを備えたことを特徴とする。これにより、防犯装置は塗料を不審者に噴射することができる。塗料とは、例えば水溶性ペンキ、水溶性の蛍光塗料、着臭塗料である。これにより、不審者は塗料によりマーキングされることになる。塗料により不審者をマーキングすれば、事後に容易に特定することができる。
【００１３】
又、請求項６に記載の防犯装置は請求項４に記載の防犯装置であって、放水装置は導水管、又は導水経路を加熱するための加熱装置を有することを特徴とする。加熱装置は、導水管、又は導水経路の水を加熱することができる。これにより、防犯装置は、例えば火傷を負わないような程度の熱水を放水することができる。よって、より効果的に不審者の侵入を抑制することができる。尚、導水経路とは水道水が流れるあらゆる経路を意味する。例えば、導水管に途中に備えられたタンク等を意味する。
【００１４】
又、請求項７に記載の防犯装置は請求項４又は請求項５に記載の防犯装置であって、放水装置はスプリンクラーに設置され、ノズルにはスプリンクラー用ノズルを用いることを特徴とする。スプリンクラーは水道管とスプリンクラー用ノズルを予め備えている。よって、このスプリンクラーを利用して防犯装置を構成する。即ち、通常時にはスプリンクラーとして用い、防犯時にはそのノズル方向を制御可能として防犯装置とする。これは、例えば回転装置とのギアのかみ合わせのオン・オフによって使い分ける事ができる。即ち、通常時はギアのかみ合わせをオフとし、防犯モード時はオンとする。これにより、需要家は両者を使用することができる。本発明は、スプリンクラーに設置可能であるので利便性に優れた防犯装置とすることができる。
【００１５】
【発明の実施の形態】
以下、本発明を実施の形態に基づいて説明する。尚、本発明は下記の実施形態に限定されるものではない
（実施例）
図１に本実施例の防犯装置の１例を示す。図は構成図である。本実施例の防犯装置は、防犯モード入力スイッチである集音センサ１１、押圧スイッチ１２、複数の赤外線センサ２１からなる不審者方向検出装置２０、不審者に放水する放水装置３０、放水装置３０のノズル３１を回転させる回転装置４０、そしてそれらを制御する制御装置５０から構成される。尚、図示するように集音センサ１１、押圧スイッチ１２、不審者方向検出装置２０は筐体１０の外側に配置されている。上記構成において、集音センサ１１、押圧スイッチ１２は防犯モード入力スイッチである。集音センサ１１は、昼夜を問わず不審者による侵入音、衝撃音を検出するセンサである。又、押圧スイッチ１２は人為的に防犯モードに入る為のスイッチである。これにより、自動的に又は人為的に防犯モードに入る。
【００１６】
不審者方向検出装置２０は、赤外線センサを２１を利用した装置である。人は体温により、波長数ミクロン〜十数ミクロンの赤外線を常に放射している。よって、このセンサを用いれば、不審者を昼夜を問わず検出することができる。そして、この不審者方向検出装置２０は、図２上面図に示すようにその赤外線センサ２１を環状に外向きに８個配列している。よって、どの方向からの侵入に対しても、不審者を検出することができる。即ち、何れかの赤外線センサ２１の出力が大となる。例えば、赤外線センサ２１ａの出力が大となれば制御装置５０は右方向から不審者侵入と判断することができる。
【００１７】
放水装置３０は市中の水道管（図示しない）から水道水を導入する為の導水管３２、導水をオン・オフ（導水／遮断）させるバルブである電磁バルブ３３、回動可能な導水管３２ａ、水を勢い良く放水するためのノズルであるスプリンクラー用ノズル３１から構成されている。そして、回動可能な導水管３２ａには、ギアＧ１、ギアＧ２、モータ装置４１、回動継ぎ手４２からなる回転装置４０が取り付けられている。即ち、制御装置４０からの指令により、モータ装置４１が回転すると、ギアＧ１、ギヤＧ２を介してノズル３１が回転される構成である。
【００１８】
制御装置５０は、例えばＣＵＰ、ＲＯＭ、ＲＡＭ、Ｉ／Ｏ等からなるワンチップマイコンである。例えば、ＲＯＭ内に書かれた手順に従って、ＣＰＵによって上述した各装置が制御される。例えば、図３に示すフローチャートに従って制御される。１例を説明すると、先ずステップｓ２０では防犯モード入力スイッチがオンか否かが判定される。ｎｏであれば、正常状態であるのでスタートに戻りこのルーチンを繰り返す。ｙｅｓの場合、例えば集音センサ１１によって衝撃が検出された場合は、防犯モード入力スイッチがオンと判定され、次のステップｓ２１に移行する。そして、ステップｓ２１で不審者方向検出装置２０からそれぞれの赤外線センサ２１の赤外レベル（出力レベル）を検出する。次にステップｓ２２に移行し、何れか１つの赤外線センサ２１の赤外レベルが所定値以上か否か判定する。ｎｏであれば、不審者が十分近くにはいないと判定されるので、所定値以上になるまで待機する。即ち、ステップｓ２１に戻る。
【００１９】
ステップｓ２２において何れか１つの赤外線センサ２１の赤外レベルが所定値以上と判定されれば、即ちｙｅｓとなるとステップｓ２３に移行する。そして、ステップｓ２３において、その赤外線センサ２１を特定し現在のスプリンクラー用ノズル３１の角度との差を算出する。即ち、赤外線センサ２１を特定し、モータ装置４１の回転量を算出する。そして、ステップｓ２４に移行してモータ装置４１に指令を出し、スプリンクラー用ノズル３１を不審者方向に回転させる。最後にステップｓ２５に移行し、電磁バルブ３３を開とし不審者に放水する。即ち、電磁バルブ３３を開とすれば、水道水は導水管３２、３２ａに導かれ、スプリンクラー用ノズル３１から勢い良く放水される。即ち、不審者は水道水によって確実に被水される。これにより、不審者の更なる侵入を抑制することができる。
【００２０】
尚、本実施例の防犯装置は、防犯モード以外では通常のスプリンクラーとして動作する。その場合には、例えば手動で回転装置４０のギアＧ２とギアＧ１のかみ合いをオフにし、図示しないスイッチで電磁バルブ３３を開にする。スプリンクラー用ノズル３１は回動可能となるので、放水による作用反作用でスプリンクラー用ノズル３１は回転しながら放水する。即ち、本実施例の防犯装置は通常のスプリンクラーと兼用することができる。即ち、利便性にも優れた防犯装置とすることができる。
【００２１】
（変形例）
上記実施例は、本発明の実施形態の１例であり他に様々な変形例が考えられる。図４に本実施例の防犯装置の変形例の１例を示す。図は、構成図である。上記実施例の防犯装置は、水道水を不審者に放水する例であった。この場合、不審者の被水量が小であると、抑止効果がない。又、事後の不審者特定も困難となる。本実施例は、抑止効果を上げるとともに事後の不審者特定を容易にすることを目的とする。そのため、本実施例の防犯装置の導水管３２には、塗料３４を充填するタンク３５と塗料導入管３６を備えている。即ち、予め塗料タンク３５に逆流防止用弁３７を介して塗料３４を充填しておく。塗料３４とは、例えば水溶性ペンキ、水溶性の蛍光塗料、着臭塗料である。この状態で、実施例のように電磁バルブ３３を開とすると、水道水によって薄められた塗料３４が勢いよくスプリンクラー用ノズル３１から噴射される。これにより、不審者は多量の例えば蛍光塗料、着臭塗料でマーキングされる。マーキングされるので抑止効果が期待できる。又、マーキングされれば事後に容易に侵入者を特定することができる。このような構成としてもよい。
【００２２】
又、上記実施例では、不審者に水を放水するようにしたが、熱水でもよい。その為に、図５に示すように導水管３２の一部に加熱装置であるヒータ３９を備えてもよい。不審者は熱水を被水するので、より効果的に侵入が抑制される。又、図示はしないが塗料タンク３５を備える場合には、その塗料タンク３５に加熱装置を備えても勿論よい。同様の効果がある。
【００２３】
又、上記実施例では、集音センサ１１又は押圧スイッチ１２を防犯モード入力スイッチとしたが、これは時刻によって自動的に入力されてもよい。例えば、時刻を検出するセンサスイッチ（タイマースイッチ）を防犯モード入力スイッチとする。例えば、夕刻から翌朝の所定時間までを自動的に防犯モードに入るようにする。このようにすれば、集音センサ１１で不審者が検出されなくとも自動的に防犯装置をオン状態とすることができる。よって、より安全な防犯装置とすることができる。
【００２４】
又、上記実施例では野外に散水する園芸用スプリンクラーを想定したが、勿論、室内の天井の取り付けられる消火用のスプリンクラーとしてもよい。水道管があれば、容易にそれに設置することができる。又、放水装置は、スプリンクラーだけでなく、放水範囲が限定されるよな放水装置であれば、ノズルによる放水の他、放水口を有したものであれば、その手段は任意である。
【図面の簡単な説明】
【図１】本発明の実施例の防犯装置に係る構成図。
【図２】本発明の実施例の防犯装置に係る不審者方向検出装置の上面図。
【図３】本発明の実施例の防犯装置の動作を説明するフローチャート。
【図４】本発明の変形例にかかる防犯装置のシステム構成図。
【図５】本発明の変形例にかかる防犯装置のシステム構成図。
【図６】従来の防犯装置のシステム構成図。
【符号の説明】
１１…集音センサ
１２…押圧スイッチ
２０…不審者方向検出装置
２１…赤外線センサ
３０…放水装置
３１…スプリンクラー用ノズル
３２…導水管
３３…電磁バルブ
３４…塗料
３５…塗料タンク
３６…塗料導入管
３９…ヒータ
４０  …回転装置
４１…モータ装置
４２…回動継ぎ手
５０…制御装置
Ｇ１、Ｇ２…ギア
【図１】
2004272407.tif 000003
【図２】
2004272407.tif 000004
【図３】
2004272407.tif 000005
【図４】
2004272407.tif 000006
【図５】
2004272407.tif 000007
【図６】
2004272407.tif 000008